(57)【要約】      （修正有）【課題】安全にバラスト水の処理を行うことができ、また大幅な設計変更作業が必要でない、タンカーにおけるバラスト水処理装置の配置構造を提供する。【解決手段】バラストタンク２内のバラスト水をバラストポンプで引き込み微生物の除去または殺菌等の所定のバラスト水処理を行わせしめるバラスト水処理装置４を有し、処理済みのバラスト水をバルブ、排水口を介して船外に排水し、船外から新たなバラスト水を取水するタンカー１におけるバラスト水処理装置４の配置構造において、前記バラスト水内の微生物の除去または殺菌等の処理に必要な装置の全てからなるバラスト水処理装置４を、前記タンカー１の安全区域内である上甲板上であって、危険区域を避けた位置に配置した。【選択図】図１
2011057048.tif 000002
【特許請求の範囲】
【請求項１】
バラストタンク内のバラスト水をバラストポンプで引き込み微生物の除去または殺菌等の所定のバラスト水処理を行わせしめるバラスト水処理装置を有し、処理済みのバラスト水をバルブ、排水口を介して船外に排水し、船外から新たなバラスト水を取水するタンカーにおけるバラスト水処理装置の配置構造において、前記バラスト水内の微生物の除去または殺菌等の処理に必要な装置の全てからなるバラスト水処理装置を、前記タンカーの安全区域内である上甲板上であって、危険区域を避けた位置に配置したことを特徴とするタンカーにおけるバラスト水処理装置の配置構造。
【請求項２】
前記バラスト水処理装置は、前記タンカーの上甲板上の危険区画外に配置されたデッキハウス内に配置したことを特徴とする請求項１に記載のタンカーにおけるバラスト水処理装置の配置構造。
【請求項３】
前記バラスト水処理装置または前記デッキハウスは、前記上甲板から高さ２．４ｍ以上の位置に配置したことを特徴とする請求項１に記載のタンカーにおけるバラスト水処理装置の配置構造。
【請求項４】
前記バラスト水処理装置のうち、（A)電気分解によるバラスト水殺菌による処理方法のものにあっては、(a)電解槽・制御盤、（B)電気分解に夜バラスト水殺菌とフィルターによる除去を併用する処理方法のものにあっては、(b)電解槽・制御盤、（C）遠心分離による除去と酸化作用による殺菌とフィルターによる除去を併用する処理方法のものにあっては、(c)遠心分離機・制御盤、（D）オゾン殺菌による処理方法のものにあっては、(d)酸素発生装置・制御盤、（E）紫外線による殺菌とフィルターによる除去を併用する処理方法のものにあっては、(e)紫外線発生装置・制御盤、（F）超音波による殺菌とフィルターによる除去の併用する処理方法のものにあっては、(f)超音波発生装置・制御盤、のうちの少なくとも一組を前記タンカーの安全区域内である上甲板上であって、危険区域を避けた位置に配置したことを特徴とする請求項１に記載のタンカーにおけるバラスト水処理装置の配置構造。
【請求項５】
前記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤のうちの少なくとも一組は、前記タンカーの上甲板上の危険区画外に配置されたバラスト水処理電気設備室内に配置したことを特徴とする請求項１に記載のタンカーにおけるバラスト水処理装置の配置構造。
【請求項６】
前記排水口が、船側外板の喫水近傍上部に設けられていることを特徴とする請求項１に記載のタンカーにおけるバラスト水処理装置の配置構造。
【発明の詳細な説明】
【技術分野】
【０００１】
本発明は、タンカーにおけるバラスト水処理装置の配置構造に関する。
【背景技術】
【０００２】
従来、環境の異なる国を往復する船舶によってバラスト水の注排水が行われると、バラスト水に含まれる微生物により沿岸生態系に悪影響を及ぼすことが懸念されている。そこで、この種の問題を解決するための技術として、例えば、特開２００５−１５２７９９号公報に開示のものが知られている。
【０００３】
特開２００５−１５２７９９号公報の開示は、発明の名称「船舶用バラスト水の処理装置」に係り、「少ない時間と熱量で効率的にバラスト水に含まれる微生物を除去、死滅させることができ、港でのバラスト水の注排水に伴う環境の保全に十分に寄与することができる船舶用バラスト水の処理装置を提供する」ことを目的とし（同公報明細書段落番号０００５参照）、この目的達成のために、「バラスト水を濾過するフィルタ濾過装置と、該フィルタ濾過装置のフィルタを高温水により加熱しながら逆洗浄する加熱逆洗装置とを備えた」構成とすることにより（同公報明細書段落番号０００６参照）、「バラスト水の微生物をフィルタによって捕集するとともに、該フィルタを逆洗浄時に加熱し、微生物を周密に集めた状態で死滅させることができ、これにより、少ない時間と熱量で効率的かつ経済的にバラスト水に含まれる微生物を除去、死滅させることができ・・・・、効率的にバラスト水を濾過することができ・・・、バラスト水量をほぼ一定に保持しながらバラスト水に含まれる微生物を除去、死滅させることができるとともに、逆洗浄した水の排出を任意の時又は場所で行うことができる」等の効果を奏するものである（同公報明細書段落番号０００９ないし００１１参照）。
【０００４】
図４は、上記特開２００５−１５２７９９号公報に開示の船舶用バラスト水の処理装置の一実施例を示す船体とバラストタンクの配置（図２（ａ）（ｂ））であり、図４（ａ）は船体の部分断面図、図４（ｂ）は図４（ａ）のＸ−Ｘ 線断面図を示すものである。図４において、１００は、船舶用バラスト水処理装置、１０１は、船体、１０２は、バラストタンク、１０３は、バラストポンプ、１０４は、フィルタ濾過装置、１１０は、シーチェストである。
【０００５】
ところが、一般貨客を輸送する貨客船にあっては、上記の構成からなるバラスト水処理装置であっても特段問題を生じることはないが、石油精製品等の危険物を積載するタンカー等の船舶にあっては、積載するカーゴがバラスト水に紛れ込むおそれがあり、タンカー等の火災危険物を積載する船舶においては、船舶用バラスト水処理装置をエンジンルーム等の電気設備を備える区域内には設置することはできないこととされている。すなわち、タンカー等にあっては積載カーゴが船舶の航行中や停泊中に積載するカーゴ荷物である引火性のオイル等がバラスト水に混在してしまう可能性があり、バラスト水処理のバラストタンク１０２やバラストポンプ１０３であっても、それらのポンプ１０３等が電気駆動である限りは、混入する引火物に引火の危険等が免れず、それらの区域は危険区域として、バラストタンク１０２やバラストポンプ１０３であっても配置することが制限される。
【０００６】
上記特開２００５−１５２７９９号公報に開示の船舶用バラスト水処理装置１００には、ポンプ用電動機や制御盤等の電気機器(図示外)が装備されており、同公報に開示の船舶用バラスト水処理装置１００は、タンカー等にそのまま配置することは許されないこととなる。すなわち、危険区域として定められている区画内にあるバラスト水(図示外)であっても、オイル等が混在する可能性のあるバラスト水を火気が厳禁されるエンジンルーム１０５内等の危険区域に配管することは許されない。
したがって、図４（ａ）（ｂ）に示されるように、船舶用バラスト水処理装置１００をタンカー等のエンジンルーム１０５内に設置することは許されず、また、これを居住区(図示外）等へ設置した場合には、居住区配置の大幅な設計変更が必要となり、設計変更作業による大幅な改造が必要となるという問題がある。
【先行技術文献】
【特許文献】
【０００７】
【特許文献１】特開２００５−１５２７９９号公報
【発明の概要】
【発明が解決しようとする課題】
【０００８】
そこで、本発明は上記の問題点を解決するために、タンカー等の危険物を積載する船舶において、安全にバラスト水の処理を行うことができ、また、大幅な設計変更作業が必要なく、簡易な設計変更を可能とするタンカーにおけるバラスト水処理装置の配置構造を提供することを目的とする。
【課題を解決するための手段】
【０００９】
上記の目的を達成するために本願請求項１に係る発明は、バラストタンク内のバラスト水をバラストポンプで引き込み微生物の除去または殺菌等の所定のバラスト水処理を行わせしめるバラスト水処理装置を有し、処理済みのバラスト水をバルブ、排水口を介して船外に排水し、船外から新たなバラスト水を取水するタンカーにおけるバラスト水処理装置の配置構造において、前記バラスト水内の微生物の除去または殺菌等の処理に必要な装置の全てからなるバラスト水処理装置を、前記タンカーの安全区域内である上甲板上であって、危険区域を避けた位置に配置したことを特徴とする。
また、本願請求項２に係る発明は、前記請求項１に係るタンカーにおけるバラスト水処理装置の配置構造において、前記バラスト水処理装置は、前記タンカーの上甲板上の危険区画外に配置されたデッキハウス内に配置したことを特徴とする。
また、本願請求項３に係る発明は、前記請求項１に係るタンカーにおけるバラスト水処理装置の配置構造において、前記バラスト水処理装置または前記デッキハウスは、前記上甲板から高さ２．４ｍ以上の位置に配置したことを特徴とする。
さらに、本願請求項４に係る発明は、前記請求項１に記載のタンカーにおけるバラスト水処理装置の配置構造において、前記バラスト水処理装置のうち、（A)電気分解によるバラスト水殺菌による処理方法のものにあっては、(a)電解槽・制御盤、（B)電気分解によるバラスト水殺菌とフィルターによる除去を併用する処理方法のものにあっては、(b)電解槽・制御盤、（C）遠心分離による除去と酸化作用による殺菌とフィルターによる除去を併用する処理方法のものにあっては、(c)遠心分離機・制御盤、（D）オゾン殺菌による処理方法のものにあっては、(d)酸素発生装置・制御盤、（E）紫外線による殺菌とフィルターによる除去を併用する処理方法のものにあっては、(e)紫外線発生装置・制御盤、（F）超音波による殺菌とフィルターによる除去の併用する処理方法のものにあっては、(f)超音波発生装置・制御盤、のうちの少なくとも一組を前記タンカーの安全区域内である上甲板上であって、危険区域を避けた位置に配置したことを特徴とする。
また、本願請求項５に係る発明は、前記請求項１に係るタンカーにおけるバラスト水処理装置の配置構造において、前記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤のうちの少なくとも一組は、前記タンカーの上甲板上の危険区画外に配置されたバラスト水処理電気設備室内に配置したことを特徴とする。
そして、本願請求項６に係る発明は、前記請求項１に係るタンカーにおけるバラスト水処理装置の配置構造において、前記排水口が、船側外板の喫水近傍上部に設けられていることを特徴とする。
【発明の効果】
【００１０】
本発明は、上述のとおり構成されているので、次に記載する効果を奏する。
（１）タンカー等の危険物を積載する船において、上甲板上の危険区画外にバラスト水処理装置を設置しているので、火災の危険を回避することができ、安全にバラスト水処理を行うことができる。
（２）当該上甲板上へのバラスト水処理装置の設置は、大幅な設計変更作業が必要とならず、簡易な設計変更で足るという効果を有する。
【図面の簡単な説明】
【００１１】
【図１】図１は、実施例１に係るタンカーにおけるバラスト水処理装置の配置構造１の船側からみた概略図、
【図２】図２は、本実施例１に係るタンカーにおけるバラスト水処理装置の配置構造１の図１Ａ−Ａの右舷側概略図、
【図３】タンカー１の安全区域に電気配電を必要とする機器を設け、その余の電気配電を必要としない機器類をタンカー１の危険区域内に配置した本実施例２に係るタンカーにおけるバラスト水処理装置の配置構造における配管例を示す概略図、
【図４】特開２００５−１５２７９９号公報に開示の船舶用バラスト水の処理装置の一実施例である船体とバラストタンクの配置を示す図である。
【発明を実施するための形態】
【００１２】
本発明を実施するための最良の形態としてのタンカーにおけるバラスト水処理装置の配置構造の一実施例を図面に基づき詳細に説明する。
【実施例１】
【００１３】
図１、図２は、本発明を実施するための最良の形態である実施例１に係るタンカーにおけるバラスト水処理装置の配置構造の概略を示す図であり、そのうち、図１は、実施例１に係るタンカーにおけるバラスト水処理装置の配置構造１の船側からみた概略図であり、図２は、本実施例１に係るタンカーにおけるバラスト水処理装置の配置構造１の図１Ａ−Ａの右舷側概略図である。図１、図２において、符号１は、タンカー、２は、バラストタンク、３は、デッキハウス、４は、バラスト水処理装置、５は、機関室(エンジンルーム)、６は、ポンプルーム、７は、カーゴオイルタンク、８は、居住区、９は、上甲板、１０は、油圧駆動バラストポンプ、１１は、取水口、１２は、油圧駆動バルブ、１３は、排水口、ＣＬは、船体中心線を示す。
【００１４】
また、この種のタンカー１においては、上述するように、積載するカーゴの種類によって船舶内の危険区域・安全区域が区別されており、図１、２において、網掛けで表示した部分は、この種のタンカーにおいて、危険区域を示し、網掛けで表示した以外の部分は、同安全区域を示す。
【００１５】
上述するように、この種のタンカー１にあっては、上記危険区域には、発火源となる電気機器類の設置は許されず、たとえ、バラスト水処理装置４のような水処理装置であっても、積載カーゴがバラスト水に混在する可能性のある区域については、バラスト配管すら危険区域に配置することはできない。
【００１６】
そこで、本実施例１に係るタンカーにおけるバラスト水処理装置の配置構造におけるバラスト水処理は、前記バラストタンク２内のバラスト水を前記油圧駆動バラストポンプ１０により、上甲板９上に配置された前記バラスト水処理装置４に送出し、当該バラスト水処理装置４において、所定の処理方法により、バラスト水内の微生物を除去・死滅させ、これらの微生物が含まれなくなった清浄な処理済みバラスト水とし、この処理済みバラスト水を前記油圧バルブ１２及び排水口１３を介して船外に排出するようにしたものである。また、バラスト水が不足して船外から取り込まなければならないときには、前記取水口１１、前記油圧駆動バラストポンプ１０により前記バラストタンク２に取り込むようにしたものである。
【００１７】
なお、処理済みバラスト水を船外に排水するに際して、前記排水口１３は、船側外板の喫水近傍上部に配置したので、船側外板の上甲板近傍に排水口１３が設置されている場合に比し、船舶の停泊時の排水の際に岸壁に排水が掛かってしまう等の問題を回避することができ、船舶の停泊時に処理後のバラスト水を船外へ排水する際にも岸壁等に排水が掛かることがなくなる。
【００１８】
すなわち、本実施例１に係るタンカーにおけるバラスト水処理装置の配置構造においては、そのバラスト水処理装置４をタンカー１の安全区域内である上甲板９上であって、危険区域を避けた位置に、あるいは、例えば、上甲板から高さ２．４ｍ以上の位置に設置するようにした。具体的には、図１に示すように、タンカー１の上甲板９上の危険区画外の例えばデッキハウス３内にバラスト水処理装置４を設置するようにした。
【００１９】
このような配置構造とすることにより、本実施例１に係るタンカーにおけるバラスト水処理装置の配置構造は、バラスト水処理装置４全体をタンカーの安全区域とされる上甲板９上であって、例えば、上甲板から高さ２．４ｍ以上の位置に配置するようにしたので、バラスト水にカーゴオイル等が混入したとしても引火の危険がないバラスト水処理装置の配置構造とすることができる。
また、これらの設計変更は、タンカー１の上甲板上へバラスト水処理装置を設置するだけで済むので、大幅な設計変更作業が必要とならず、簡易な設計変更で足るものである。
【実施例２】
【００２０】
ところで、この種のバラスト水処理としては、様々な処理方法が知られている。
【００２１】
【表１】
2011057048.tif 000003
【００２２】
例えば、添付の表１は、A社〜F社の主なバラスト水処理装置概要を示すものであり、大きく分けて、上段に「処理方法」と、下段にその処理の際に使用される機器類のうち、「発火源となる可能性のある主な電気機器」をあげたものである。
【００２３】
この表１によれは、上記「処理方法」は、大きく分けて、（A)電気分解によるバラスト水殺菌による処理方法のもの、（B)電気分解に夜バラスト水殺菌とフィルターによる除去を併用する処理方法のもの、（C）遠心分離による除去と酸化作用による殺菌とフィルターによる除去を併用する処理方法のもの、（D）オゾン殺菌による処理方法のもの、（E）紫外線による殺菌とフィルターによる除去を併用する処理方法のもの、（F）超音波による殺菌とフィルターによる除去の併用する処理方法のもの等種々の処理方法があることを示している。
【００２４】
これらの処理方法は一長一短があり、いまだ、処理方法が確立されているとは言い難いが、しかしながら、これらの様々なバラスト水処理方法に限った場合にであっても、それらに使用される装置類のうち発火源となる電気駆動ないしは電気配電を必須とする主な電気機器は、上記表１の下段に示される次のものである。
【００２５】
すなわち、（A)電気分解によるバラスト水殺菌による処理方法のものにあっては、(a)電解槽・制御盤、（B)電気分解に夜バラスト水殺菌とフィルターによる除去を併用する処理方法のものにあっては、(b)電解槽・制御盤、（C）遠心分離による除去と酸化作用による殺菌とフィルターによる除去を併用する処理方法のものにあっては、(c)遠心分離機・制御盤、（D）オゾン殺菌による処理方法のものにあっては、(d)酸素発生装置・制御盤、（E）紫外線による殺菌とフィルターによる除去を併用する処理方法のものにあっては、(e)紫外線発生装置・制御盤、（F）超音波による殺菌とフィルターによる除去の併用する処理方法のものにあっては、(f)超音波発生装置・制御盤等からなる。
【００２６】
そこで、本実施例２に係るタンカーにおけるバラスト水処理装置の配置構造においては、各種の機器からなる船舶用バラスト水処理装置のうち、（A)については、(a)電解槽・制御盤、（B)については、(b)電解槽・制御盤、（C）については、(c)遠心分離機・制御盤、（D）については、(d)酸素発生装置・制御盤、（E）については、(e)紫外線発生装置・制御盤、（F）については、(f)超音波発生装置・制御盤、をタンカー１の安全区域のバラスト水処理電気設備室４１内に配置するようにし、その余の電気配電を必要としない機器類については、例えば、前記ポンプルーム６等の安全区域内に配置し、これらポンプルーム６、バラストタンク２、バラスト水処理電気設備室４１間に渡ってバラスト配管するようにして、タンカー１の安全区域内における電気機器を発火源とする危険を回避するようにした。
【００２７】
すなわち、本実施例２に係るタンカーにおけるバラスト水処理装置の配置構造においては、例えば、上甲板９上または上甲板９から高さ２．４ｍ以上の位置にバラスト水処理電気設備室４１を配置し、当該バラスト水処理電気設備室４１に少なくとも上記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤、を配置するようにした。
【００２８】
なお、本実施例２に係るバラスト水処理装置の配置構造におけるバラスト水処理電気設備室４１は、実施例１に係るタンカーにおけるバラスト水処理装置の配置構造を示す図１において、前記バラスト水処理装置４と同位置に配置するものとして、図１において、符号４１として表記した。
【００２９】
本実施例２に係るタンカーにおけるバラスト水処理装置の配置構造においては、上甲板９上または上甲板９から高さ２．４ｍ以上の位置にバラスト水処理電気設備室４１を配置し、当該バラスト水処理電気設備室４１に少なくとも上記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤、を配置するようにし、その余の電気配電を必要としない機器類を前記ポンプルーム６等に配置し、これらポンプルーム６、バラストタンク２、バラスト水処理電気設備室４１間をバラスト配管するようにした。
【００３０】
図３は、タンカー１の安全区域に前記バラスト水処理電気設備室４１を設け、当該バラスト水処理電気設備室４１に少なくとも上記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤、を配置し、その余の電気配電を必要としない機器類を前記ポンプルーム６等に配置した本実施例２に係るタンカーにおけるバラスト水処理装置の配置構造における配管例を示す概略図である。
【００３１】
図３において、符号１４は、バラスト配管、１５サクションウエル、１６は、バルブ、１７は、ストレーナー、１８は、逆止弁、１９、２０、２１、２２、２３、２４、２５はバルブであり、その余の符号については、図１、図２において示したものと同一のものは、図３においても同一の符号で示しものとし、その動作等の説明は省略する。
【００３２】
本実施例２に係るタンカーにおけるバラスト水処理装置の配置構造において、バラスト水を処理する場合は、各バルブ１６及びバルブ１９、２２を操作して各サクションウエル１５からバラストタンク２内のバラスト水を前記バラスト水処理電気設備室４１荷送り込み、当該バラスト水処理電気設備室４１に配置された上記(a)電解槽・制御盤、(b)電解槽・制御盤、(c)遠心分離機・制御盤、(d)酸素発生装置・制御盤、(e)紫外線発生装置・制御盤、(f)超音波発生装置・制御盤のいずれかにより、バラスト水を処理する。処理方法としては、前述したように、(a)電解槽・制御盤については、（A)電気分解によるバラスト水殺菌による処理を、(b)電解槽・制御盤については、（B)電気分解に夜バラスト水殺菌とフィルターによる除去を併用する処理を、(c)遠心分離機・制御盤については、（C）遠心分離による除去と酸化作用による殺菌とフィルターによる除去を併用する処理を、(d)酸素発生装置・制御盤については、（D）オゾン殺菌による処理を、(e)紫外線発生装置・制御盤については、（E）紫外線による殺菌とフィルターによる除去を併用する処理を、(f)超音波発生装置・制御盤については、（F）超音波による殺菌とフィルターによる除去の併用する処理をそれぞれ行わせしめ、それぞれの処理方法によってタンカーのバラスト水処理を行わせしめる。
【００３３】
本実施例２に係るタンカーにおけるバラスト水処理装置の配置構造においては、このように電気配電が必要な機器類については、タンカー１に安全区域内に配置し、電気配電が必要のない機器は危険区域内に配置するようにしたので、タンカー等のバラスト水処理において、カードオイル等がバラスト水に混入して、今夕したカーゴオイル等に電気機器が発火源となる危険を回避することができることとなると共に、重量や容量の大きい機器類については、タンカー１の危険区域内であっても配置することができ、機器類の配置の柔軟性を確保することができることとなる。
【００３４】
そして、上記実施例１に係るタンカーにおけるバラスト水処理装置の配置構造の場合と同様に、本実施例２に係るタンカーにおけるバラスト水処理装置の配置構造の場合であっても、上記電気配電を必要とする機器類を作業が容易なタンカー１の上甲板９上に設置するだけで済むので、大幅な設計変更作業が必要とならず、簡易な設計変更で足ることとなる。
【産業上の利用可能性】
【００３５】
本発明は、引火性の高いカーゴを積載するタンカー等におけるバラスト水処理に利用できる。
【符号の説明】
【００３６】
１ タンカー
２ バラストタンク
３ デッキハウス
４ バラスト水処理装置
５ 機関室(エンジンルーム)
６ ポンプルーム
９ 上甲板
１０ 油圧駆動バラストポンプ
１１ 取水口
１２ 油圧バルブ
１３ 排水口
１４  バラスト配管
１５  サクションウエル
１６  バルブ
１７  ストレーナー
１８  逆止弁
１９、２０、２１、２２、２３、２４、２５  バルブ
４１ バラスト水処理電気設備室
１００ 船舶用バラスト水処理装置
１０２ バラストタンク
１０３ バラストポンプ
１０３ ポンプ
１０５ エンジンルーム
【図１】
2011057048.tif 000004
【図２】
2011057048.tif 000005
【図３】
2011057048.tif 000006
【図４】
2011057048.tif 000007